(57)【要約】【課題】  犯人と一対一の状況でも、犯人を容易に捕捉してその動きを止めることができるようにする。【解決手段】  軸状柄部２の先端部に、捕捉左半部３Ａおよび導入左半部４Ａを有する左側部材６と捕捉右半部３Ｂおよび導入右半部４Ｂを有する右側部材７とが引張コイルバネ５を介して左右に開離可能に設けられ、ストッパー１６により倒伏自在なレバー１１を介して捕捉左半部３Ａと捕捉右半部３Ｂの先端部同士が係合されて、捕捉部３内に犯人の胴体が捕捉される。【選択図】  図１
2005308246.tif 000002
【特許請求の範囲】
【請求項１】
軸状の柄部と該柄部の先端に設けられたリング状の捕捉部と該捕捉部の先端部分から前方に設けられた略Ｖ字形の導入部とを備えた刺股であって、捕捉部および導入部は、基部同士がバネを介して互いに接近方向に付勢される左右一対の部材によって、それらの先端側から左右方向に分割して開離可能となされ、左側部材は右側に開口した湾曲状の捕捉左半部と該捕捉左半部の先端部分から左斜め前方向に伸びる導入左半部とを有し、右側部材は左側に開口した湾曲状の捕捉右半部と該捕捉右半部の先端部分から右斜め前方向に伸びる導入右半部とを有しており、捕捉左半部と捕捉右半部の先端部同士は該部に設けられたロック手段により閉止されるようになされている、刺股。
【請求項２】
ロック手段が、捕捉左半部先端から導入左半部に至る部分の外側および捕捉右半部先端から導入右半部に至る部分の外側にそれぞれ設けられた基台と、左右いずれか一方の基台上に軸支された滑車と、基部が前記滑車の外周面にそれぞれ固定されたレバーおよびストッパー係止用突部と、一端が前記一方の基台上に固定され、他端が前記滑車に掛けられた紐状体の端部に連結されたレバー用引張コイルバネと、一端側部分が前記一方の基台上に配置された圧縮コイルバネを介して捕捉部内方に付勢され、他端側部分が前記一方の基台上に回動可能に軸支され、かつ前記レバーが起立した状態でそのストッパー係止用突部と係合するようになされたストッパーと、前記他方の基台に設けられ、前記レバーが倒伏した状態でその先端側部分が係止されるレバー係止部とを備えており、前記ストッパーの他端側部分がストッパー係止用突部と係合している状態で、圧縮コイルバネのばね力に抗してストッパーの一端側部分が捕捉部外方へ押されることにより、ストッパーの他端側部分が捕捉部内方へ回動して該部分がストッパー係止用突部から外れて、レバー用引張コイルバネのバネ力により滑車が回動してレバーが倒伏すると共に、該レバーの先端部がレバー係止部と係合するようになされている、請求項１記載の刺股。
【請求項３】
他の基台上におけるレバー係止部が左右方向に所定間隔をあけて複数設けられ、捕捉左半部と捕捉右半部の両先端部同士が当接した状態では、レバー先端が最も左側のレバー係止部に係合するようになされ、捕捉左半部と捕捉右半部の両先端部同士が当接していない状態では、前記最も左側のレバー係止部より右側のレバー係止部にレバー先端が係合するようになされている、請求項２記載の刺股。
【請求項４】
レバーの先端部がフック状となされ、レバー係止部が前記レバー先端部と係合する垂直棒状部および該垂直棒状部の先端からレバーが外れるのを防止する水平棒状部を備えている、請求項２または請求項３記載の刺股。
【請求項５】
ストッパーは、その一端から他端寄り部分が捕捉部の内方へ突出する凸弧状となされており、一方の基台または一方の捕捉半部には、圧縮コイルバネのバネ力によるストッパーの回動を規制する規制用突起が設けられている、請求項２〜請求項４のうちのいずれか一項記載の刺股。
【請求項６】
柄部に警報手段が設けられている、請求項２〜請求項５のうちのいずれか一項記載の刺股。
【請求項７】
柄部に夜光手段が設けられている、請求項２〜請求項６のうちのいずれか一項記載の刺股。
【請求項８】
柄部が、互いに連結自在な複数の筒状部材からなる請求項２〜請求項７のうちのいずれか一項記載の刺股。
【発明の詳細な説明】
【技術分野】
【０００１】
本発明は、泥棒や暴漢等を取り押さえるのに用いる刺股に関する。
【背景技術】
【０００２】
近年、夜間や早朝に家人が寝ている民家等に進入して金銭や貴金属類を強奪する強盗被害が増えている。また、小学校では、構内に暴漢が進入して児童を殺傷する事件が発生している。
【０００３】
強盗や暴漢への対策としては、警備会社と連携し、事件が発生した場合に、警備会社から警備員が急行して犯人を捕り押さえるシステムが開発されている。しかしながら、被害者が警備会社に通報してから警備員が事件発生現場に到着するのに、ある程度の時間がかかるため、被害者はその間、犯人に対処することを余儀なくされ、そのため被害者が犯人から危害を加えられたり、犯人が金銭等を強奪して逃走してしまったりする場合もある。
【０００４】
また、小学校では、不審者の構内への侵入を防止するため、児童の登下校時以外は学校の門を閉じる対策が講じられているが、学校には教育関係者や種々の業者が出入りする関係で児童の登下校時以外の時間帯に門を常時閉じておくことは実際上難しい。そこで、校内に監視カメラを設置して不審者を発見するようにすることも考えられているが、学校では監視カメラを常時見ている者がおらず、また不審者は広い校内のどこから進入して来るかも分からないため、監視カメラで不審者の侵入を完全に把握することは困難である。そのため、不審者が校内に進入した場合に、その不審者をいち早く取り押さえることが重要となる。
【０００５】
従来から犯人を取り押さえる道具として刺股が知られている。この刺股は、一般には、柄の先端部に二股部が設けられ、該二股部で犯人の胴体を挟んで取り押さえるものである。しかし、二股部における柄部と反対側が開放しているため、犯人を取り押さえるためには、犯人を転倒させて床に横たわらせ、床面と刺股の二股部とで犯人の胴体を挟み込むか、或いは犯人を壁に押し付けて壁面と二股部とで犯人の胴体を挟み込む必要がある。
【特許文献１】特開２００４−２８５６０号公報
【発明の開示】
【発明が解決しようとする課題】
【０００６】
しかし、前記従来の刺股で前述したように犯人を取り押さえるには、犯人一人に対して実際上、複数の者が必要となることから、犯人と一対一の場合には、犯人を取り押さえることができず、また学校で授業中や給食時に暴漢が教室に侵入してきた場合、通常、先ず担任の先生が一人で暴漢に立ち向かう必要があるため、最も重要な暴漢の教室進入時にその動きを十分に制止することが困難となってしまう。
【０００７】
本発明の目的は、犯人に対して一人で立ち向かう場合でも、容易に犯人の動きを制止させ、取り押さえることが可能な刺股を提供することにある。
【課題を解決するための手段】
【０００８】
請求項１記載の本発明は、軸状の柄部と該柄部の先端に設けられたリング状の捕捉部と該捕捉部の先端部分から前方に設けられた略Ｖ字形の導入部とを備えた刺股であって、捕捉部および導入部は、基部同士がバネを介して互いに接近方向に付勢される左右一対の部材によって、それらの先端側から左右方向に分割して開離可能となされ、左側部材は右側に開口した湾曲状の捕捉左半部と該捕捉左半部の先端部分から左斜め前方向に伸びる導入左半部とを有し、右側部材は左側に開口した湾曲状の捕捉右半部と該捕捉右半部の先端部分から右斜め前方向に伸びる導入右半部とを有しており、捕捉左半部と捕捉右半部の先端部同士は該部に設けられたロック手段により閉止されるようになされているものである。
【０００９】
請求項２記載の刺股は、前記請求項１記載の刺股について、ロック手段が、捕捉左半部先端から導入左半部に至る部分の外側および捕捉右半部先端から導入右半部に至る部分の外側にそれぞれ設けられた基台と、左右いずれか一方の基台上に軸支された滑車と、基部が前記滑車の外周面にそれぞれ固定されたレバーおよびストッパー係止用突部と、一端が前記一方の基台上に固定され、他端が前記滑車に掛けられた紐状体の端部に連結されたレバー用引張コイルバネと、一端側部分が前記一方の基台上に配置された圧縮コイルバネを介して捕捉部内方に付勢され、他端側部分が前記一方の基台上に回動可能に軸支され、かつ前記レバーが起立した状態で前記ストッパー係止用突部と係合するようになされたストッパーと、前記他方の基台に設けられ、前記レバーが倒伏した状態でその先端側部分が係止されるレバー係止部とを備えており、前記ストッパーの他端側部分がストッパー係止用突部と係合している状態で、圧縮コイルバネのばね力に抗してストッパーの一端側部分が捕捉部外方へ押されることにより、ストッパーの他端側部分が捕捉部外方へ回動して該部分がストッパー係止用突部から外れて、レバー用引張コイルバネのバネ力により滑車が回動してレバーが倒伏すると共に、該レバーの先端部がレバー係止部と係合するようになされていることを特徴とするものである。
【００１０】
請求項３記載の本発明は、前記請求項２記載の刺股について、他の基台上におけるレバー係止部が左右方向に所定間隔をあけて複数設けられ、捕捉左半部と捕捉右半部の両先端部同士が当接した状態では、レバー先端が最も左側のレバー係止部に係合するようになされ、捕捉左半部と捕捉右半部の両先端部同士が当接していない状態では、前記最も左側のレバー係止部より右側のレバー係止部にレバー先端が係合するようになされているものである。
【００１１】
請求項４記載の本発明は、前記請求項２または請求項３記載の刺股について、レバーの先端部がフック状となされ、レバー係止部が前記レバー先端部と係合する垂直棒状部および該垂直棒状部の先端からレバーが外れるのを防止する水平棒状部を備えていることを特徴とするものである。
【００１２】
請求項５記載の本発明は、前記請求項２〜請求項４のうちのいずれか一項記載の刺股について、ストッパーは、その一端から他端寄り部分が捕捉部の内方へ突出する凸弧状となされており、一方の基台または一方の捕捉半部には、圧縮コイルバネのバネ力によるストッパーの回動を規制する規制用突起が設けられているものである。
【００１３】
請求項６記載の本発明は、前記請求項２〜請求項５のうちのいずれか一項記載の刺股について、柄部に警報手段が設けられていることを特徴とするものである。
【００１４】
請求項７記載の本発明は、前記請求項２〜請求項６のうちのいずれか一項記載の刺股について、柄部に夜光手段が設けられていることを特徴するものである。
【００１５】
請求項８記載の前記請求項２〜請求項７のうちのいずれか一項記載の刺股について、柄部が互いに連結自在な複数の筒状部材からなることを特徴するものである。
【００１６】
なお、本発明の刺股は、重量や強度を考慮して、鉄や硬質アルミニウム合金等、種々の金属が適宜使用される。
【発明の効果】
【００１７】
本発明に係る刺股は、リング状の捕捉部を有し、且つ該捕捉部の先端にはロック手段が設けられているため、該捕捉部内に犯人の胴体が入った場合、ロック手段を介して当該捕捉状態が維持されるため、従来の刺股のように、犯人を床に倒したり、壁に押し付けたりしなくても、犯人の動きを止めることができる。従って、本発明の刺股によれば、従来の刺股のように、犯人一人に対して複数人でなく、犯人と一対一の状況でも犯人を捕捉することが可能となる。
【００１８】
また、請求項２以降の本発明に係る刺股によれば、捕捉部に犯人の胴体が入って、該胴体がストッパーに当たることで、ストッパーが外れてレバーが作動し、捕捉部が自動的にロックされるため、捕捉部を簡単且つ迅速に閉止することが可能となる。
【００１９】
この他、柄部に警報手段を設けた請求項６記載の刺股によれば、例えば小学校の授業中に暴漢が教室に進入して来た場合でも、教師が先ず警報手段を作動させることで警報が鳴り、この音によって暴漢を威嚇すると共に、付近の教室等に対して警報により、事件の発生とその位置を迅速に知らせることが可能となる。そのため、周囲の教室等では、警報が鳴っている方向と逆の方向に生徒を非難させれば良いため、付近の教室等では、生徒が逃げ惑うことなく、非難すべき方向を的確に把握することができるという利点がある。
【００２０】
更に、柄部に夜光手段が設けられた請求項７記載の本発明によれば、夜光手段により、夜間の暗闇の中でも当該刺股を容易に手に取ることができる。
【発明を実施するための最良の形態】
【００２１】
次に、本発明の実施形態を述べるが、本発明は係る実施形態に限定されるものではなく、その要旨の範囲内で種々の変形実施が可能である。
【００２２】
本実施形態において、前後左右上下は、図１を基準とし、前とは図１の上側を指し、後とは同下側を指す。また、左とは図１の左側を指し、右とは同右側を指す。更に、上とは図１の図面紙葉の表側を指し、下とは同裏側を指すものとする。
【００２３】
図１〜図３に示すように、本実施形態における刺股１は、軸状の柄部２と該柄部２の先端に設けられたリング状の捕捉部３と該捕捉部３の先端部分から前方に設けられた略Ｖ字形の導入部４とを備え、捕捉部３および導入部４は、基部同士が引張コイルバネ５を介して互いに接近方向に付勢される左右一対の部材６・７によって、それらの先端側から左右方向に分割して開離可能となされ、左側部材６は右側に開口した湾曲状の捕捉左半部３Ａと該捕捉左半部３Ａの先端部分から左斜め前方向に伸びる導入左半部４Ａとを有し、右側部材７は左側に開口した湾曲状の捕捉右半部３Ｂと該捕捉右半部３Ｂの先端部分から右斜め前方向に伸びる導入右半部４Ｂとを有しており、捕捉左半部３Ａと捕捉右半部３Ｂの先端部同士は後述するロック手段により閉止されるようになされている。
【００２４】
すなわち、ロック手段は、捕捉左半部３Ａの先端から導入左半部４Ａに至る部分の外側および捕捉右半部３Ｂの先端から導入右半部４Ｂに至る部分の外側にそれぞれ設けられた基台８Ａ・８Ｂと、右側基台８Ｂ上の中央に軸支された滑車９と、基部が滑車９の外周面にそれぞれ固定されたレバー１１およびストッパー係止用突部１２と、一端が右側基台８Ｂ上の右端に設けられたピン１８に固定され、他端が滑車９に掛けられた紐状体１３の端部に連結されたレバー用引張コイルバネ１４と、一端側部分が前記右側基台８Ｂ上に配置された圧縮コイルバネ１５を介して捕捉部３内方に付勢され、他端寄り部分が右側基台８Ｂ上に回動可能に軸支１０され、かつ前記レバー１１が起立した状態でそのストッパー係止用突部１２に係合するストッパー１６と、左側基台８Ａに設けられ、レバー１１が倒伏した状態でその先端側部分が係止されるレバー係止部１７とを備えており、ストッパー１６の他端側部分がストッパー係止用突部１２と係合している状態で、圧縮コイルバネ１５のバネ力に抗してストッパー１６が捕捉部３外方へ押されることにより、ストッパー１６の他端側部分が捕捉部３内方へ回動して該部分がストッパー係止用突部１２から外れると共に、レバー用引張コイルバネ１４のバネ力により滑車９が回動してレバー１１が倒伏してレバー係止部１７と係合するようになされている。
【００２５】
図２に示すように、前記ストッパー１６は、その一端から他端寄り部分が捕捉部３の内方へ突出する凸弧状部１６ａとなされ、また凸弧状部１６ａの一端寄り部分には、滑車９の左方に伸びる圧縮コイルバネ装着用ブラケット部１６ｂが設けられ、該ブラケット部１６ｂの先端部が縦断面Ｌ字状の留め金２２に貫通され、ブラケット部１６ｂにおける留め金２２と凸弧状部１６ａとの間に前記圧縮コイルバネ１５が装着されている。
また、ストッパー１６の他端には爪状部１６ｃが設けられている。そして、捕捉右半部３Ｂの先端寄り部分にストッパー１６の凸弧状部１６ａ先端と当接する規制用突起２１が設けられ、該規制用突起２１が凸弧状部１６ａ先端と当接することにより、圧縮コイルバネ１５によるストッパー１６の移動が規制され、ストッパー１６の爪状部１６ｃは所定範囲で回動するようになされている。
【００２６】
前記ストッパー係止用突部１２は、側面から見て倒Ｌ字形となされ、その先端の屈曲部１２ａが前記ストッパー１６の爪状部１６ｃと係合するものである。
【００２７】
なお、前記紐状体１３の一端は滑車９のストッパー係止用凸部１２上に固定され、他端は前述した通り、レバー用引張コイルバネ１４の端部に固定されている。そして、前記ストッパー１６がストッパー係止用突部１２から外れることで、滑車９を介してレバー用引張コイルバネ１４によりレバー１１が左側基台８Ａへ倒伏するのである。
【００２８】
前記レバー１１は本実施形態では、先端部１１ａがフック状となされ、レバー係止部１７が前記レバー１１の先端部１１ａと係合する２本の垂直棒状部１７ａ・１７ｂと右側の垂直棒状部１７ｂの上端部から左側の垂直棒状部１７ａの上端左方まで延長状に設けられた水平棒状部２０とを備えている。
【００２９】
そして、前記垂直棒状部１７ａと垂直棒状部１７ｂとは、レバー１１基部との距離が異なるように、左右方向に間隔をあけて設けられているため、平均的な胴囲の犯人を捕捉部３で捕捉した場合には、図２および図４に示すように、左側垂直棒状部１７ａにレバー１１の先端部１１ａが係合し、胴囲が長い犯人を捕捉部３で捕捉した場合には、右側の垂直棒状部１７ｂにレバー１１の先端部１１ａが係合するようになされている。
【００３０】
なお、前者の場合には、図２および図４に示すように、捕捉左半部３Ａと捕捉右半部３Ｂの先端部同士は当接するが、後者の場合には、図５に示すように、捕捉左半部３Ａと捕捉右半部３Ｂの先端部同士は若干離れた状態となる。
【００３１】
図６に示すように、本実施形態では、柄部２の先端に略逆台形状の板状ベース部２５が
溶接で一体に設けられ、捕捉左半部３Ａと捕捉右半部３Ｂの基端部には、それぞれ板状部２４Ａ・２４Ｂが溶接で一体に設けられ、該板状部２４Ａ・２４Ｂおよび板状ベース部２５には互いに連通するボルト穴（図示略）があけられ、該ボルト穴に大径ワッシャ２７および小径ワッシャ（図示略）を介してボルト２９が挿通され、該ボルト２９の軸にナット３１が装着されている。本実施形態では、大径ワッシャ２７と板状部２４Ａ・２４Ｂとの間に前記小径ワッシャを介在させることにより、前記ボルト２９を介して板状ベース部２５に捕捉左半部３Ａと捕捉右半部３Ｂが回動自在に固定されている。また、板状ベース部２５の上部両側寄り部分には側面からみて倒Ｌ字形のガイド部３２が溶接で一体に設けられ、該ガイド部３２内に捕捉左半部３Ａと捕捉右半部３Ｂの基部寄り部分が嵌め入れられている。
【００３２】
柄部２は、板状ベース部２５の後部に一体に溶接された第一筒状部材２３ａと、第一筒状部材２３ａに連結される第二筒状部材２３ｂと、第二筒状部材２３ｂに連結される第三筒状部材２３ｃとからなり、図７に示すように、第一筒状部材２３ａおよび第二筒状部材２３ｂの基部寄り部分には、円形孔３３と、円形孔３３から突出するボタン部材３５と、上端がボタン部材３５の底部に固定され、全体が筒状部材２３ａ・２３ｂ内に収容されたバネ３４とが設けられる一方、第二筒状部材２３ｂおよび第三筒状部材２３ｃの先端部寄り部分には、前記ボタン部材３５が嵌め入れられる透孔３６がそれぞれ形成されている。
【００３３】
また、第二筒状部材２３ｂの先端寄り部分には市販の夜光テープ３７が貼着され、第三筒状部材２３ｃには、市販の警報器３８が取り付けられている。
【００３４】
本実施形態の刺股１によれば、図１に示すように、ストッパー１６の爪状部１６ｃにストッパー係止用突部１２が係合して、レバー１１が起立した状態において、導入部４内に犯人の胴体を入れて押すことにより、左側部材６と右側部材７とが引張コイルバネ５のバネ力に抗して左右に開離し（図８参照）、これに伴って捕捉部３内に犯人の胴体が入る。そして、この時点で前記引張コイルバネ５のバネ力により左側部材６と右側部材７が再び元の状態に戻って、捕捉部３内に犯人の胴体が納まった状態となる（図１の状態）。
【００３５】
次に、当該刺股１を手前に引くことにより、ストッパー１６の凸弧状部１６ａに犯人の背中を当接させ、この際、凸弧状部１６ａが圧縮コイルバネ１５のバネ力に抗して前方（捕捉部外方）へ押される結果、ストッパー１６の爪状部１６ｃとストッパー係止用突部１２との係合が解除されると共に、レバー用引張コイルバネ１４のバネ力により、紐状体１３を介して滑車９が回動し、これに伴って起立状態だったレバー１１が倒伏して、その先端部１１ａがレバー係止部１７の垂直棒状部１７ａ・１７ｂに係合する（図２〜図５参照）。そして、この状態では、捕捉左半部３Ａと捕捉部右半部３Ｂの先端部同士がレバー１１によりロックされているため、犯人が捕捉部３を左右に開けようとしても開かず、犯人の捕捉状態が維持されることとなる。
【産業上の利用可能性】
【００３６】
本発明の刺股は、学校内へ進入した暴漢や民家等に進入した泥棒を取り押さえる場合等、種々の分野で利用することが期待できる。
【図面の簡単な説明】
【００３７】
【図１】実施形態に係る刺股の正面図である。
【図２】刺股におけるロック手段を示す拡大正面図である。
【図３】同じくロック手段を示す拡大平面図である。
【図４】レバーが倒伏してロック状態となった刺股の正面図である。
【図５】捕捉部先端が若干開いた形態でのロック状態を示す正面図である。
【図６】左右部材の基部における構造を示す拡大正面図である。
【図７】筒状部材同士の連結構造を示す拡大断面図である。
【図８】左右部材が開いた状態における刺股の正面図である。
【符号の説明】
【００３８】
１  刺股
２  柄部
３  捕捉部
３Ａ  捕捉左半部
３Ｂ  捕捉右半部
４  導入部
４Ａ  導入左半部
４Ｂ  導入右半部
５  引張コイルバネ
６  左側部材
７  右側部材
【図１】
2005308246.tif 000003
【図２】
2005308246.tif 000004
【図３】
2005308246.tif 000005
【図４】
2005308246.tif 000006
【図５】
2005308246.tif 000007
【図６】
2005308246.tif 000008
【図７】
2005308246.tif 000009
【図８】
2005308246.tif 000010